(57)【要約】【課題】誤作動の少ない携帯端末等を提供する。【解決手段】携帯端末１００は、タッチパネル１１２と、タッチパネル１１２への物体の近接を検出する複数の近接センサー１６０と、近接センサー１６０の検出結果に基づき、タッチパネル１１２を制御する制御部１７０と、を備える携帯端末である。携帯端末１００は、近接センサー１６０のいずれかが障害物に覆われた場合であっても、他の近接センサー１６０の検出結果を使うことにより、物体の近接を正常に判別できる。【選択図】図３
2014036255.tif 000002
【特許請求の範囲】
【請求項１】
タッチパネルと、
前記タッチパネルへの物体の近接を検出する複数の近接センサーと、
前記近接センサーの検出結果に基づき、前記タッチパネルを制御する制御部と、を備える、
ことを特徴とする携帯端末。
【請求項２】
前記制御部は、
障害物に覆われていない近接センサーを判別するセンサー判別手段と、
障害物に覆われていないと判別された近接センサーの検出結果を使って、物体の近接を判別する近接判別手段と、
前記近接判別手段の判別結果に基づき前記タッチパネルを制御するタッチパネル制御手段と、を備える、
ことを特徴とする請求項１に記載の携帯端末。
【請求項３】
前記センサー判別手段は、
ユーザがタッチパネル操作をした際の前記近接センサーの検出結果を取得し、
取得した検出結果に基づいて物体の近接を検出していない近接センサーを判別し、判別した近接センサーを障害物に覆われていない近接センサーと判別する、
ことを特徴とする請求項２に記載の携帯端末。
【請求項４】
前記携帯端末は、ユーザが前記携帯端末を操作するためのボタン、を備え、ユーザが前記ボタンを使って電話の着信操作もしくは発信操作を可能に構成されており、
前記センサー判別手段は、
ユーザがボタン操作をした際の前記近接センサーの検出結果を取得し、
取得した検出結果に基づいて物体の近接を検出していない近接センサーを判別し、判別した近接センサーを障害物に覆われていない近接センサーと判別する、
ことを特徴とする請求項２又は３に記載の携帯端末。
【請求項５】
前記携帯端末は、ユーザが前記タッチパネルを使って電話の着信操作もしくは発信操作を可能に構成されており、
前記センサー判別手段は、
ユーザが電話の着信操作もしくは発信操作をした際の前記近接センサーの検出結果を取得し、
取得した検出結果に基づいて物体の近接を検出していない近接センサーを判別し、判別した近接センサーを障害物に覆われていない近接センサーと判別する、
ことを特徴とする請求項２乃至４のいずれか１項に記載の携帯端末。
【請求項６】
前記タッチパネル制御手段は、
前記近接判別手段が物体の近接を判別した場合に、通話中のタッチパネル操作を無効にする、
ことを特徴とする請求項２乃至５のいずれか１項に記載の携帯端末。
【請求項７】
前記タッチパネル制御手段は、
前記センサー判別手段が障害物に覆われていない近接センサーの存在を判別できなかった場合に、通話中のタッチパネル操作を無効にする、
ことを特徴とする請求項２乃至６のいずれか１項に記載の携帯端末。
【請求項８】
前記センサー判別手段が障害物に覆われていない近接センサーの存在を判別できなかった場合に、前記近接センサーが障害物に覆われていることを示す、もしくは、タッチパネル操作が無効であることを示すエラーメッセージを表示するエラーメッセージ表示手段、を備える、
ことを特徴とする請求項７に記載の携帯端末。
【請求項９】
タッチパネルと、複数の近接センサーと、制御部と、を備える携帯端末の制御方法であって、
複数の前記近接センサーそれぞれが、前記タッチパネルへの物体の近接を検出し、
前記制御部が、前記近接センサーの検出結果に基づき、前記タッチパネルを制御する、
ことを特徴とする制御方法。
【請求項１０】
タッチパネルと、前記タッチパネルへの物体の近接を検出する複数の近接センサーと、を備える携帯端末を制御するコンピュータに、
複数の前記近接センサーそれぞれから検出結果を取得する機能と、
取得した検出結果に基づき前記タッチパネルを制御する機能と、を実現させる、
ことを特徴とするプログラム。
【発明の詳細な説明】
【技術分野】
【０００１】
本発明は、携帯端末、制御方法、及びプログラムに関する。
【背景技術】
【０００２】
タッチパネルを使用した電気機器が増えている。例えば、特許文献１〜６には、ＬＣＤ（Liquid Crystal Display）等の表示部をタッチパネルで覆った携帯電話機が開示されている。
【０００３】
タッチパネル式の携帯電話機の場合、通話中、耳や頬がタッチパネルに当たることがある。耳や頬が当たった場所に、偶然、アイコンボタンやメニューボタンがあると、携帯電話機は、そのボタンに割り当てられている機能をユーザの意図に反して実行してしまう。そのため、一般的に、タッチパネル式の携帯電話機は、通話時スピーカーの近くに近接センサーを備え、近接センサーが物体（例えば、ユーザの耳）の近接を検出した場合に、タッチパネルディスプレイをオフにして誤作動を防止するよう構成されている。
【先行技術文献】
【特許文献】
【０００４】
【特許文献１】特開２０１１−２２３５５６号公報
【特許文献２】特開２０１１−２３３９７１号公報
【特許文献３】特開２０１１−１６６５３４号公報
【特許文献４】特開２０１１−０６１３１６号公報
【特許文献５】国際公開第２００９／０８４６１０号
【特許文献６】特表２０１０−５０６３０２号公報
【発明の概要】
【発明が解決しようとする課題】
【０００５】
携帯電話機を使用するユーザは、耐衝撃性向上や傷防止のため、携帯電話機にカバーを取り付けることがある。近接センサーの位置まで考慮されたカバーもあるが、カバーの取り付け方によっては近接センサーを塞いでしまうことがある。この場合、携帯電話機は物体の近接を正常に判別できず、誤作動を起こす。
【０００６】
本発明は、このような問題に鑑みてなされたものであり、誤作動の少ない携帯端末、制御方法、及びプログラムを提供することを目的とする。
【課題を解決するための手段】
【０００７】
本発明の第１の観点に係る携帯端末は、
タッチパネルと、
前記タッチパネルへの物体の近接を検出する複数の近接センサーと、
前記近接センサーの検出結果に基づき、前記タッチパネルを制御する制御部と、を備える、
ことを特徴とする。
【０００８】
本発明の第２の観点に係る制御方法は、
タッチパネルと、複数の近接センサーと、制御部と、を備える携帯端末の制御方法であって、
複数の前記近接センサーそれぞれが、前記タッチパネルへの物体の近接を検出し、
前記制御部が、前記近接センサーの検出結果に基づき、前記タッチパネルを制御する、
ことを特徴とする。
【０００９】
本発明の第３の観点に係るプログラムは、
タッチパネルと、前記タッチパネルへの物体の近接を検出する複数の近接センサーと、を備える携帯端末を制御するコンピュータに、
複数の前記近接センサーそれぞれから検出結果を取得する機能と、
取得した検出結果に基づき前記タッチパネルを制御する機能と、を実現させる、
ことを特徴とする。
【発明の効果】
【００１０】
本発明によれば、誤作動の少ない携帯端末、制御方法、及びプログラムを提供できる。
【図面の簡単な説明】
【００１１】
【図１】本発明の実施の形態１に係る携帯端末の斜視図である。
【図２】本発明の実施の形態１に係る携帯端末のブロック図である。
【図３】本発明の実施の形態１に係る携帯端末が備える制御部の機能を説明するための機能ブロック図である。
【図４】図１に示す携帯端末にカバーを取り付けた様子を示す図である。
【図５】本発明の実施の形態１に係る誤動作防止処理を説明するためのフローチャートである。
【図６】図５に示す誤動作防止処理で実行される使用可能センサー判別処理を説明するためのフローチャートである。
【図７】図５に示す誤動作防止処理で実行される通話時処理を説明するためのフローチャートである。
【図８】本発明の実施の形態２に係る携帯端末のブロック図である。
【図９】本発明の実施の形態２に係る誤動作防止処理を説明するためのフローチャートである。
【発明を実施するための形態】
【００１２】
以下、本発明を実施するための形態について図面を参照しながら説明する。
【００１３】
（実施の形態１）
本実施の形態に係る携帯端末１００は、ユーザインタフェースとしてタッチパネルを備えた、例えば図１に示すような外観の携帯電話機（例えば、スマートフォン）である。携帯端末１００は、図２に示すように、タッチパネルディスプレイ１１０と、内蔵スピーカー１２０と、マイク１３０と、通話時スピーカー１４０と、操作部１５０と、近接センサー１６０と、制御部１７０等から構成される。
【００１４】
タッチパネルディスプレイ１１０は、図１に示すように、薄い直方体状をした筐体の一方の面に配置され、画像の表示とタッチパネル操作を可能に構成されたディスプレイである。タッチパネルディスプレイ１１０は、図２に示すように、表示部１１１と、表示部１１１の表面を覆うよう配置されたタッチパネル１１２とから構成される。
【００１５】
表示部１１１は、ＬＣＤ（Liquid Crystal Display）やＯＥＬＤ（Organic ElectroLuminescence Display）等の表示装置から構成される。表示部１１１は制御部１７０の制御に従ってアイコンボタンやメニューボタン等を表示する。
【００１６】
タッチパネル１１２は、ユーザが画面を指で触れることによって、もしくは、指やペンで画面に圧力を加えることによって、ユーザの指示する位置を携帯端末１００に直接入力できるよう構成された入力装置である。タッチパネル１１２は、ユーザがタッチパネル１１２に触れたり圧力を加えたりすると、その触れたり圧力を加えたりした位置を制御部１７０に通知する。
【００１７】
内蔵スピーカー１２０は、着信音や操作音等を出力するためのスピーカーである。内蔵スピーカー１２０は、例えば図１に示すように、携帯端末１００の筐体側面部に配置されている。内蔵スピーカー１２０は、制御部１７０の制御に従って着信音等を出力する。
【００１８】
マイク１３０は、ユーザが発した音声を電気信号に変換するための装置である。マイク１３０は、ユーザの口元にあたる部分、例えば図１に示すように、タッチパネルディスプレイ１１０が設置された面の下部に配置されている。マイク１３０は、電気信号に変換したユーザの音声を制御部１７０に送信する。
【００１９】
通話時スピーカー１４０は、通話相手が発した音声を出力するためのスピーカーである。通話時スピーカー１４０は、ユーザの耳にあたる部分、例えば図１に示すように、タッチパネルディスプレイ１１０が設置された面の上部に配置されている。通話時スピーカー１４０は、制御部１７０の制御に従って通話相手の音声等を出力する。
【００２０】
図２に戻り、操作部１５０は、電源ボタン、サイレントモード切替スイッチ、音量調節ボタン等の各種ユーザインタフェースから構成される。操作部１５０は、ユーザによってボタン等が操作されると、その操作情報を制御部１７０に送信する。
【００２１】
近接センサー１６０は、物体の近接を検出するためのセンサーである。近接センサー１６０は、複数の近接センサー、例えば、近接センサーＡと近接センサーＢとから構成される。近接センサー１６０は、それぞれタッチパネルディスプレイ１１０周囲の異なった場所に設置されている（例えば、近接センサーＡは、図１に示すように、タッチパネルディスプレイ１１０設置面の通話時スピーカー１４０側の筐体部分に設置され、近接センサーＢはタッチパネルディスプレイ１１０設置面のマイク１３０側の筐体部分に設置されている）。近接センサーＡと近接センサーＢは、物体の近接を検出すると、それぞれ、制御部１７０に対して物体の近接を通知する。なお、近接センサーの設置数や設置位置は、上記に限定されず、さまざまな変更が可能である。また、近接センサーが物体の近接を検知する方法は、特定の方法に限定されず、既知のさまざまは方法を使用可能である。
【００２２】
図２に戻り、制御部１７０は、プロセッサ等の処理装置から構成される。制御部１７０は不図示のＲＯＭ（Read Only Memory）やＲＡＭ（Random Access Memory）に格納されているプログラムに従って動作し、後述の「誤動作防止処理」を含む種々の動作を実行する。また、制御部１７０は、「誤動作防止処理」に従って動作することで、図３に示すように、操作判別部１７１、センサー判別部１７２、近接判別部１７３、タッチパネル制御部１７４、エラーメッセージ表示部１７５として機能する。なお、これら機能の動作については後述の「誤動作防止処理」の箇所で説明する。
【００２３】
次に、このような構成を有する携帯端末１００の動作について説明する。
【００２４】
制御部１７０は、携帯端末１００に電源が投入されると、タッチパネルディスプレイ１１０への誤接触等による通話時の携帯端末１００の誤動作を防止する「誤動作防止処理」を開始する。なお、以下の説明では、理解を容易にするため、携帯端末１００には、例えば図４に示すように、携帯電話用のカバーが装着されており、近接センサー１６０のいずれか、もしくは全てが、その携帯電話用カバーで塞がれているものとする。以下、図５のフローチャートを参照して「誤動作防止処理」について説明する。
【００２５】
制御部１７０の操作判別部１７１は、ユーザの着信操作または発信操作を検出したか判別する（ステップＳ１１０）。ここで「着信操作」とは、通話相手から電話の着信があったときに、ユーザが携帯端末１００を受ける操作であり、例えば、着信音が鳴ったときにユーザがタッチパネルディスプレイ１１０上に表示された受話ボタン等を押す操作のことをいう。また「発信操作」とは、ユーザが任意の相手に電話をかける操作のことであり、例えば、ユーザがタッチパネルディスプレイ１１０上に表示されたダイヤルボタン等を押す操作のことをいう。
【００２６】
着信操作または発信操作を検出していない場合（ステップＳ１１０：Ｎｏ）、制御部１７０は着信操作または発信操作を検出するまでステップＳ１１０を繰り返す。着信操作または発信操作を検出した場合（ステップＳ１１０：Ｙｅｓ）、制御部１７０は使用可能な近接センサー１６０（カバーに覆われていない近接センサー１６０）を判別するための「使用可能センサー判別処理」を開始する（ステップＳ１２０）。以下、図６のフローチャートを参照して「使用可能センサー判別処理」を説明する。
【００２７】
制御部１７０のセンサー判別部１７２は、近接センサーＡから検出結果を取得する（ステップＳ１２１）。
【００２８】
センサー判別部１７２は、近接センサーＡが物体の近接を検出しているか、すなわち近接センサーＡが障害物（携帯電話用カバー）で覆われているか判別する（ステップＳ１２２）。物体の近接を検出していない場合（ステップＳ１２２：Ｎｏ）、センサー判別部１７２は近接センサーＡが使用可能であると判別する（ステップＳ１２３）。物体の近接を検出している場合（ステップＳ１２２：Ｙｅｓ）、センサー判別部１７２は近接センサーＡが使用不能であると判別する（ステップＳ１２４）。なお、センサー判別部１７２は、判別結果をより正確なものとするため、ステップＳ１２１〜ステップＳ１２２を一定間隔で複数回（例えば５回）繰り返し、その全ての回で物体の近接を検出した場合に近接センサーＡが使用不能であると判別してもよい。
【００２９】
センサー判別部１７２は、近接センサーＢから検出結果を取得する（ステップＳ１２５）。
【００３０】
センサー判別部１７２は、近接センサーＢが物体の近接を検出しているか、すなわち近接センサーＢが障害物で覆われているか判別する（ステップＳ１２６）。物体の近接を検出していない場合（ステップＳ１２６：Ｎｏ）、センサー判別部１７２は近接センサーＡが使用可能であると判別する（ステップＳ１２７）。物体の近接を検出している場合（ステップＳ１２６：Ｙｅｓ）、センサー判別部１７２は近接センサーＡが使用不能であると判別する（ステップＳ１２８）。なお、センサー判別部１７２は、近接センサーＡの場合と同様に、ステップＳ１２５〜ステップＳ１２６を一定間隔で複数回（例えば５回）繰り返し、その全ての回で物体の近接を検出した場合に近接センサーＢが使用不能であると判別してもよい。判別が完了したら、制御部１７０は「使用可能センサー判別処理」を終了する。
【００３１】
図５のフローに戻り、制御部１７０はタッチパネルディスプレイ１１０への誤接触等による携帯端末１００の誤動作を防止するための「通話時処理」を開始する（ステップＳ１３０）。以下、図７のフローチャートを参照して「通話時処理」を説明する。
【００３２】
制御部１７０の近接判別部１７３は、近接センサー１６０の中に使用可能なセンサーがあるか、すなわち、近接センサーＡと近接センサーＢのいずれかが使用可能であるか判別する（ステップＳ１３１）。
【００３３】
近接センサーＡと近接センサーＢのいずれも使用可能でない場合、すなわち近接センサーＡと近接センサーＢの両方とも障害物で覆われている場合（ステップＳ１３１：Ｎｏ）、制御部１７０のタッチパネル制御部１７４は、携帯端末１００が誤作動しないように、例えばタッチパネル１１２からの通知を遮断する等して、ユーザのタッチパネル操作を無効にする。さらに、エラーメッセージ表示部１７５は、表示部１１１に、センサーが障害物に覆われていることを示すエラーメッセージ（例えば“センサーが隠されています”といったメッセージ）を表示する（ステップＳ１３２）。
【００３４】
ステップＳ１３１に戻り、近接センサーＡと近接センサーＢの両方もしくはいずれかが使用可能である場合（ステップＳ１３１：Ｙｅｓ）、制御部１７０のタッチパネル制御部１７４は、使用可能な近接センサーに物体が近接しているか、すなわち、タッチパネル１１２にユーザの頭部が近接していか判別する（ステップＳ１３４）。
【００３５】
物体の近接を検出した場合（ステップＳ１３４：Ｙｅｓ）、タッチパネル制御部１７４は、耳や頬の接触等による携帯端末１００の誤動作を防止するため、例えばタッチパネル１１２からの通知を遮断する等して、ユーザのタッチパネル操作を無効にする。さらに、タッチパネル制御部１７４は、表示部１１１の表示を予め用意された近接時用の表示（例えば、タッチパネル操作用のボタンがない画面）に切り替える（ステップＳ１３５）。
【００３６】
物体の近接を検出していない場合（ステップＳ１３４：Ｎｏ）、タッチパネル制御部１７４は、例えば、タッチパネル１１２からの通知の遮断を解除する等して、ユーザのタッチパネル操作を有効にするとともに、表示部１１１の表示を予め用意された通常時の表示（例えば、タッチパネル操作用のボタンがある画面）に切り替える（ステップＳ１３６）。
【００３７】
制御部１７０は、ユーザの通話が終了したか判別する（ステップＳ１３７、ステップＳ１３３）。通話が終了していない場合（ステップＳ１３７：Ｎｏ、ステップＳ１３３：Ｎｏ）、制御部１７０は通話が終了するまでステップＳ１３４〜ステップＳ１３７、あるいはステップＳ１３３を繰り返す。通話が終了した場合（ステップＳ１３７：Ｙｅｓ、ステップＳ１３３：Ｙｅｓ）、制御部１７０はタッチパネル操作を有効にするとともに、表示部１１１の表示を通常時の表示に戻す（ステップＳ１３８）。
【００３８】
通常時の表示に戻したら、制御部１７０は「通話時処理」を終了するとともに、図５のフローに戻り、「誤動作防止処理」を終了する。
【００３９】
本実施の形態によれば、カバーに覆われていない近接センサー１６０を事前に判別し、判別した近接センサー１６０を使用してユーザの頭部の近接を判別するよう構成されているので、例えユーザが携帯端末１００にカバーを取り付け、近接センサー１６０の一部が塞がれたとしても、携帯端末１００は、残りの近接センサー１６０を使用して正確に物体の近接を判別できる。
【００４０】
通常、着信操作時や発信操作時は、ユーザがタッチパネルディスプレイ１１０を見ながら携帯電話を操作しているときと考えられる。そのため、着信操作時や発信操作時は、ユーザの頭部はタッチパネルに近接していないと考えられる。携帯端末１００は、ユーザの頭部が接近していないと考えられる着信操作時や発信操作時の検出結果を基に、近接センサーが障害物に覆われているか否か判別しているので、ユーザの頭部の近接を障害物の近接と誤判別することない。その結果、携帯端末１００は、正確に障害物に覆われていない近接センサー１６０を判別できる。
【００４１】
（実施の形態２）
携帯端末１００の構成は、実施の形態１で示した構成に限られず、例えば、図８に示すようなよりシンプルな構成とすることも可能である。以下、図面を参照して、実施の形態２の携帯端末１００について説明する。
【００４２】
携帯端末１００は、図８に示すように、タッチパネルディスプレイ１１０と、近接センサー１６０と、制御部１７０と、から構成される。
【００４３】
タッチパネルディスプレイ１１０は、画像の表示とタッチパネル操作を可能に構成されたディスプレイである。
【００４４】
近接センサー１６０は、物体の近接を検出するためのセンサーである。近接センサー１６０は、複数の近接センサーから構成される。近接センサー１６０は、タッチパネルディスプレイ１１０に物体が近接するとその検出結果を制御部１７０に送信する。なお、本実施の形態の近接センサー１６０は、センサーが障害物等に覆われている場合には、制御部１７０に対し検出結果を送信しないよう構成されている。
【００４５】
制御部１７０は、プロセッサ等の処理装置から構成される。制御部１７０は不図示のＲＯＭやＲＡＭに格納されているプログラムに従って動作し、後述の「近接判別処理」を含む種々の動作を実行する。
【００４６】
次に、このような構成を有する携帯端末１００の動作について説明する。
【００４７】
携帯端末１００に電源が投入されると、制御部１７０は、タッチパネルディスプレイ１１０への誤接触等による携帯端末１００の誤動作を防止する「誤動作防止処理」を開始する。なお、制御部１７０は、各種機能（例えば、通話機能や音声再生機能等）を実行中、不図示のタイマー等を使用して「誤動作防止処理」を一定間隔（例えば１秒間隔）で実行する。以下、図９のフローチャートを参照して「誤動作防止処理」について説明する。
【００４８】
制御部１７０は、複数ある近接センサー１６０のうちの少なくとも１つの近接センサーの検出結果に基づき、タッチパネルディスプレイ１１０への物体の近接を判別する（ステップＳ２０１）。例えば、近接センサー１６０が近接センサーＡと近接センサーＢから構成され、近接センサーＡがカバーで塞がれていて検出結果を送信しないのであれば、近接センサーＢの検出結果に基づき物体の近接を判別する。一方、近接センサーＢがカバーで塞がれていて検出結果を送信しないのであれば、近接センサーＡの検出結果に基づき物体の近接を判別する。
【００４９】
物体の近接を検出した場合（ステップＳ２０１：Ｙｅｓ）、制御部１７０は、ユーザのタッチパネル操作を無効にし（ステップＳ２０２）、誤動作防止処理を終了する。物体の近接を検出していない場合（ステップＳ２０１：Ｎｏ）、御部１７０は、ユーザのタッチパネル操作を有効にし（ステップＳ２０３）、誤動作防止処理を終了する。
【００５０】
本実施の形態によれば、近接センサー１６０を複数備えているので、複数ある近接センサー１６０のうちのいずれかが障害物に覆われたとしても、他の近接センサー１６０の検出結果を使って物体の近接を正常に判別できる。
【００５１】
なお、上述の実施の形態は一例であり、種々の変更及び応用が可能である。
【００５２】
例えば、実施の形態１では、携帯端末１００は、ユーザがタッチパネル１１２を使って電話の着信操作もしくは発信操作をできるよう構成されていたが、操作部１５０に受話ボタンや発信ボタンを備え、ユーザが受話ボタンやダイヤルボタン（数字ボタン）を使って電話の着信操作や発信操作をできるよう構成されていてもよい。
【００５３】
このとき、センサー判別部１７２は、ユーザが受話ボタンやダイヤルボタンを使って着信操作や発信操作しているときに、ステップＳ１２０に示す使用可能センサー判別処理を実行してもよい。ユーザの頭部の近接を障害物の近接と誤判別することなく、正確に障害物に覆われていない近接センサー１６０を判別できる。
【００５４】
なお、使用可能センサー判別処理を実行するタイミングは着信操作時や発信操作時に限られない。センサー判別部１７２は、例えば、ユーザがメニュー画面を操作しているときや、各種アプリケーションソフトを実行している最中など、ユーザの頭部がタッチパネル１１２に近接していないと考えられるさまざまなタイミングで、障害物に覆われていない近接センサー１６０を判別することが可能である。
【００５５】
また、全ての近接センサー１６０が障害物で覆われていた場合のエラーメッセージの内容は、センサーが障害物に覆われていることを示すメッセージに限られず、例えば、“タッチパネル操作はできません”等のタッチパネル操作が無効であることを示すメッセージであってもよい。
【００５６】
また、タッチパネル操作を無効にする方法は、タッチパネル１１２からの通知を遮断に限られず、例えば、タッチパネルディスプレイ１１０の電源をオフにする等、さまざまな方法が使用可能である。
【００５７】
また、近接センサー１６０の設置場所は、タッチパネルディスプレイ１１０設置面の上部と下部の２箇所に限られず、例えば、携帯端末１００の筐体の側面、タッチパネルディスプレイ１１０設置面の左右等、さまざまな場所に設置可能である。
【００５８】
また、近接センサー１６０の設置個数も２個に限られない。３個以上の近接センサー１６０が設置されていてもよい。なお、近接センサー１６０が３個以上設置されている場合、センサー判別部１７２は、ステップＳ１２１〜Ｓ２２４、もしくはステップＳ１２５〜１２８と同等の処理を実行して、近接センサー１６０それぞれについて障害物に覆われているか否か判別してもよい。
【００５９】
また、本実施の形態で使用するＲＡＭ（例えば、制御部１７０を制御するプログラムを格納するＲＡＭ）は、ＤＲＡＭ（Dynamic Random Access Memory）やＳＲＡＭ（Static Random Access Memory）等の揮発性メモリであってもよいし、フラッシュメモリ等の書き換え可能型不揮発性メモリであってもよい。フラッシュメモリは、例えば、ランダムアクセス性に優れたＮＯＲ型フラッシュメモリであってもよいし、アクセス速度に優れたＮＡＮＤ型フラッシュメモリであってもよい。
【００６０】
また、各実施の形態で使用するＲＯＭ（例えば、制御部１７０を制御するプログラムを格納するＲＯＭ）は、マスクＲＯＭ等の書き換え不能型不揮発性メモリであってもよいし、ＥＰＲＯＭ（Erasable Programmable Read Only Memory）等の書き換え可能型不揮発性メモリであってもよい。ＥＰＲＯＭは紫外線で記憶を消去できるＵＶ−ＥＰＲＯＭ（Ultra-Violet Erasable PROM）であってもよいし、電気的に記憶を消去できる、例えば、フラッシュメモリ等のＥＥＰＲＯＭ（Electrically Erasable PROM）であってもよい。
【００６１】
また、上述の実施の形態では、携帯端末１００の例としてスマートフォンを示したが、携帯端末１００はスマートフォンに限られず、タッチパネルを備えた他の種類の携帯端末、例えば、ＰＨＳ（Personal Handy-phone System）やＰＤＡ（Personal Digital Assistant）等であってもよい。
【００６２】
本実施の形態の携帯端末１００は、専用のシステムにより実現してもよいし、通常のコンピュータシステムにより実現してもよい。例えば、上述の動作を実行するためのプログラムをコンピュータ読み取り可能な記録媒体に格納して配布し、該プログラムをコンピュータにインストールして、上述の処理を実行することによって携帯端末１００を構成してもよい。また、インターネット等のネットワーク上のサーバ装置が備えるディスク装置に格納しておき、例えばコンピュータにダウンロード等できるようにしてもよい。また、上述の機能を、ＯＳとアプリケーションソフトとの共同により実現してもよい。この場合には、ＯＳ以外の部分のみを媒体に格納して配布してもよく、また、コンピュータにダウンロード等してもよい。
【００６３】
上記プログラムを記録する記録媒体としては、ＵＳＢメモリ、フレキシブルディスク、ＣＤ、ＤＶＤ、Ｂｌｕ−ｒａｙ  Ｄｉｓｃ（登録商標）、ＭＯ、ＳＤカード、メモリースティック（登録商標）、その他、磁気ディスク、光ディスク、光磁気ディスク、半導体メモリ、磁気テープ等のコンピュータ読取可能な記録媒体を使用することができる。
【００６４】
上記の実施の形態の一部又は全部は、以下の付記のようにも記載され得るが、以下には限られない。
【００６５】
（付記１）
タッチパネルと、
前記タッチパネルへの物体の近接を検出する複数の近接センサーと、
前記近接センサーの検出結果に基づき、前記タッチパネルを制御する制御部と、を備える、
ことを特徴とする携帯端末。
【００６６】
（付記２）
前記制御部は、
障害物に覆われていない近接センサーを判別するセンサー判別手段と、
障害物に覆われていないと判別された近接センサーの検出結果を使って、物体の近接を判別する近接判別手段と、
前記近接判別手段の判別結果に基づき前記タッチパネルを制御するタッチパネル制御手段と、を備える、
ことを特徴とする付記１に記載の携帯端末。
【００６７】
（付記３）
前記センサー判別手段は、
ユーザがタッチパネル操作をした際の前記近接センサーの検出結果を取得し、
取得した検出結果に基づいて物体の近接を検出していない近接センサーを判別し、判別した近接センサーを障害物に覆われていない近接センサーと判別する、
ことを特徴とする付記２に記載の携帯端末。
【００６８】
（付記４）
前記携帯端末は、ユーザが前記携帯端末を操作するためのボタン、を備え、ユーザが前記ボタンを使って電話の着信操作もしくは発信操作を可能に構成されており、
前記センサー判別手段は、
ユーザがボタン操作をした際の前記近接センサーの検出結果を取得し、
取得した検出結果に基づいて物体の近接を検出していない近接センサーを判別し、判別した近接センサーを障害物に覆われていない近接センサーと判別する、
ことを特徴とする付記２又は３に記載の携帯端末。
【００６９】
（付記５）
前記携帯端末は、ユーザが前記タッチパネルを使って電話の着信操作もしくは発信操作を可能に構成されており、
前記センサー判別手段は、
ユーザが電話の着信操作もしくは発信操作をした際の前記近接センサーの検出結果を取得し、
取得した検出結果に基づいて物体の近接を検出していない近接センサーを判別し、判別した近接センサーを障害物に覆われていない近接センサーと判別する、
ことを特徴とする付記２乃至４のいずれか１つに記載の携帯端末。
【００７０】
（付記６）
前記タッチパネル制御手段は、
前記近接判別手段が物体の近接を判別した場合に、通話中のタッチパネル操作を無効にする、
ことを特徴とする付記２乃至５のいずれか１つに記載の携帯端末。
【００７１】
（付記７）
前記タッチパネル制御手段は、
前記センサー判別手段が障害物に覆われていない近接センサーの存在を判別できなかった場合に、通話中のタッチパネル操作を無効にする、
ことを特徴とする付記２乃至６のいずれか１つに記載の携帯端末。
【００７２】
（付記８）
前記センサー判別手段が障害物に覆われていない近接センサーの存在を判別できなかった場合に、前記近接センサーが障害物に覆われていることを示す、もしくは、タッチパネル操作が無効であることを示すエラーメッセージを表示するエラーメッセージ表示手段、を備える、
ことを特徴とする付記７に記載の携帯端末。
【００７３】
（付記９）
タッチパネルと、複数の近接センサーと、制御部と、を備える携帯端末の制御方法であって、
複数の前記近接センサーそれぞれが、前記タッチパネルへの物体の近接を検出し、
前記制御部が、前記近接センサーの検出結果に基づき、前記タッチパネルを制御する、
ことを特徴とする制御方法。
【００７４】
（付記１０）
タッチパネルと、前記タッチパネルへの物体の近接を検出する複数の近接センサーと、を備える携帯端末を制御するコンピュータに、
複数の前記近接センサーそれぞれから検出結果を取得する機能と、
取得した検出結果に基づき前記タッチパネルを制御する機能と、を実現させる、
ことを特徴とするプログラム。
【００７５】
（付記１１）
タッチパネルへの物体の近接を検出する複数の近接センサーを備える携帯端末を使って前記タッチパネルへの物体の近接を判別する近接判別方法であって、
ユーザが前記携帯端末を操作した際の前記近接センサーの検出結果を取得し、取得した検出結果に基づいて、障害物に覆われていない近接センサーを判別するセンサー判別ステップと、
障害物に覆われていないと判別された近接センサーの検出結果を使って、物体の近接を判別する近接判別ステップと、を有する、
ことを特徴とする近接判別方法。
【００７６】
（付記１２）
タッチパネルへの物体の近接を検出する複数の近接センサーを備える携帯端末を制御するコンピュータに、
ユーザが前記携帯端末を操作した際の前記近接センサーそれぞれの検出結果を取得し、取得した検出結果に基づいて、障害物に覆われていない近接センサーを判別する使用可能センサー判別機能と、
障害物に覆われていないと判別された近接センサーの検出結果を使って、物体の近接を判別する近接判別機能と、を実現させる、
ことを特徴とするプログラム。
【符号の説明】
【００７７】
１００    携帯端末
１１０    タッチパネルディスプレイ
１１１    表示部
１１２    タッチパネル
１２０    内蔵スピーカー
１３０    マイク
１４０    通話時スピーカー
１５０    操作部
１６０    近接センサー
１７０    制御部
１７１    操作判別部
１７２    センサー判別部
１７３    近接判別部
１７４    タッチパネル制御部
１７５    エラーメッセージ表示部
【図１】
2014036255.tif 000003
【図２】
2014036255.tif 000004
【図３】
2014036255.tif 000005
【図４】
2014036255.tif 000006
【図５】
2014036255.tif 000007
【図６】
2014036255.tif 000008
【図７】
2014036255.tif 000009
【図８】
2014036255.tif 000010
【図９】
2014036255.tif 000011